(57)【要約】【課題】本発明は、回転ドラム周辺の軸方向実装スペースを増大させることがない電子写真式印刷装置の感光ドラム支持装置を提供することにある。【解決手段】本発明は、感光ドラム着脱用ガイド６の感光ドラム引き出し側端部６Ｅに可動ガイド８を設け、かつ、感光ドラム４の着脱時に前記可動ガイド８を前記感光ドラム４の端部（４Ｅ）から突出させると共に、前記感光ドラム４の定位置設置時には前記可動ガイド８を前記感光ドラム４の端部（４Ｅ）よりも内側に位置するように構成したのである。【選択図】図１
2008145511.tif 000002
【特許請求の範囲】
【請求項１】
駆動軸と、この駆動軸に固定された第１のフランジと、前記駆動軸に着脱自在に支持された第２のフランジと、これら第１のフランジと第２のフランジとの間に跨って支持され前記駆動軸と同心となる円筒形の感光ドラムと、前記駆動軸に支持され前記第１のフランジと第２のフランジとの間に挟圧力を発生させる挟圧手段と、前記駆動軸上に支持され前記感光ドラムの内周面に接近して軸方向に延在する感光ドラム着脱用ガイドと、固定部材に固定されて前記感光ドラムの引き出し側端部を覆うカバーとを備えた電子写真式印刷装置の感光ドラム支持装置において、前記感光ドラム着脱用ガイドの感光ドラム引き出し側端部を前記感光ドラムの引き出し側端部よりも軸方向の内側に位置させ、かつ、前記感光ドラム着脱用ガイドの感光ドラム引き出し側端部に可動ガイドを設け、この可動ガイドを前記感光ドラムの着脱時に前記感光ドラムの引き出し側端部から軸方向に突出させると共に、前記感光ドラムが定位置に設置された時には前記可動ガイドを前記感光ドラムの引き出し側端部よりも軸方向の内側に位置するように構成したことを特徴とする電子写真式印刷装置の感光ドラム支持装置。
【請求項２】
前記可動ガイドは、前記感光ドラム着脱用ガイドの感光ドラム引き出し側端部に、内径側に折り畳み可能に連結されていることを特徴とする請求項１記載の電子写真式印刷装置の感光ドラム支持装置。
【請求項３】
前記可動ガイドは、前記感光ドラムの引き出し側端部よりも内側に位置するとき、前記第１のフランジと第２のフランジとの間に挟圧力を発生させるように構成されていることを特徴とする請求項１記載の電子写真式印刷装置の感光ドラム支持装置。
【請求項４】
駆動軸と、この駆動軸に固定された第１のフランジと、前記駆動軸に着脱自在に支持された第２のフランジと、これら第１のフランジと第２のフランジとの間に跨って支持され前記駆動軸と同心となる円筒形の感光ドラムと、前記駆動軸にねじ込まれて前記第２のフランジを前記第１のフランジに向かって締付ける締結手段と、前記駆動軸上に支持され前記感光ドラムの内周面に接近して軸方向に延在する感光ドラム着脱用ガイドと、固定部材に固定されて前記感光ドラムの引き出し側端部を覆うカバーとを備えた電子写真式印刷装置の感光ドラム支持装置において、前記感光ドラム着脱用ガイドの感光ドラム引き出し側端部を前記感光ドラムの引き出し側端部よりも軸方向の内側に位置させ、かつ、前記感光ドラム着脱用ガイドの感光ドラム引き出し側端部に折り畳み可能な可動ガイドを設け、この可動ガイドを前記感光ドラムの着脱時に前記感光ドラムの引き出し側端部から軸方向に突出させて前記感光ドラム着脱用ガイドの延長線上に位置させると共に、前記感光ドラムが定位置に設置された時には前記可動ガイドを前記感光ドラムの引き出し側端部よりも内径側に折り畳んで前記第２のフランジを前記第１のフランジに向かって押し付けるように構成したことを特徴とする電子写真式印刷装置の感光ドラム支持装置。
【請求項５】
駆動軸と、この駆動軸に固定された第１のフランジと、前記駆動軸に着脱自在に支持された第２のフランジと、これら第１のフランジと第２のフランジとの間に跨って支持され前記駆動軸と同心となる円筒形の感光ドラムと、前記駆動軸に支持され前記第１のフランジと第２のフランジとの間に挟圧力を発生させる挟圧手段と、前記駆動軸上に支持され前記感光ドラムの内周面に接近して軸方向に延在する感光ドラム着脱用ガイドと、固定部材に固定されて前記感光ドラムの引き出し側端部を覆うカバーとを備えた電子写真式印刷装置の感光ドラム支持装置において、前記感光ドラム着脱用ガイドを伸縮スライドレール機構で構成し、かつ、この伸縮スライドレール機構の感光ドラム引き出し側端部に可動ガイドを設け、前記感光ドラムの着脱時に、前記伸縮スライドレール機構を伸長させて前記可動ガイドを前記感光ドラムの引き出し側端部から軸方向に突出させると共に、前記感光ドラムが定位置に設置された時には、前記伸縮スライドレール機構を縮小させて前記可動ガイドを前記感光ドラムの引き出し側端部よりも軸方向の内側に位置するように構成したことを特徴とする電子写真式印刷装置の感光ドラム支持装置。
【発明の詳細な説明】
【技術分野】
【０００１】
本発明は電子写真式印刷装置の感光ドラム支持装置に係り、特に、感光ドラムの着脱機構を改善した電子写真式印刷装置の感光ドラム支持装置に関する。
【背景技術】
【０００２】
一般に、電子写真式印刷装置の感光ドラム支持装置は、例えば図４に示すように、駆動軸１と、この駆動軸１に固定された第１のフランジ２と、前記駆動軸１に着脱自在に支持された第２のフランジ３と、これら第１のフランジ２と第２のフランジ３との間に跨って支持され前記駆動軸１と同心となる円筒形の感光ドラム４と、前記駆動軸１にねじ込まれ前記第１のフランジ２と第２のフランジ３との間に挟圧力を発生させる締結手段５と、前記駆動軸１上に支持され前記感光ドラム４の内周面に接近して軸方向に延在する感光ドラム着脱用ガイド６とを備えており、さらに、前記感光ドラム４が定位置に設置されたとき、図示しない印刷装置に固定されて前記感光ドラム４の引き出し側端部を覆うカバー７を有している。
【０００３】
そして、前記感光ドラム着脱用ガイド６の感光ドラム引き出し側端部６Ｅは、感光ドラム４が定位置にあるとき、感光ドラム４の引き出し側端部４Ｅよりも外側に延長して突出している。このように、感光ドラム着脱用ガイド６の感光ドラム引き出し側端部６Ｅを、感光ドラム４の引き出し側端部４Ｅよりも外側に延長して突出させることで、感光ドラム４を定位置に装着するとき、この感光ドラム引き出し側端部６Ｅをガイドとして装着することで感光ドラム４の表面が周辺機器に接触して損傷することを防止でき、また、感光ドラム４を引き出す場合には、引き出し終了時点で感光ドラム４がいきなり落下しないようにするためである。
【０００４】
尚、このような電子写真式印刷装置の感光ドラム支持装置に関係するものとして特許文献１に開示の電子写真式印刷装置の感光ドラム支持装置が挙げられる。
【０００５】
【特許文献１】特表平２−５０２１３０号公報
【発明の開示】
【発明が解決しようとする課題】
【０００６】
上記従来における電子写真式印刷装置の感光ドラム支持装置は、感光ドラム着脱用ガイド６の感光ドラム引き出し側端部６Ｅが、定位置にある感光ドラム４の引き出し側端部４Ｅよりも外側に突出しているために、回転ドラム周辺の軸方向実装スペースを増大させる問題がある。
【０００７】
本発明の目的は、回転ドラム周辺の軸方向実装スペースを縮小できる電子写真式印刷装置の感光ドラム支持装置を提供することにある。
【課題を解決するための手段】
【０００８】
本発明は上記目的を達成するために、感光ドラム着脱用ガイドの感光ドラム引き出し側端部を感光ドラムの引き出し側端部よりも軸方向の内側に位置させ、かつ、感光ドラム着脱用ガイドの感光ドラム引き出し側端部に可動ガイドを設け、この可動ガイドを感光ドラムの着脱時に前記感光ドラムの引き出し側端部から軸方向に突出させると共に、前記感光ドラムが定位置に設置された時には前記可動ガイドを前記感光ドラムの引き出し側端部よりも軸方向の内側に位置するように構成したのである。
【発明の効果】
【０００９】
このように本発明は、通常時は感光ドラムの引き出し側端部よりも軸方向の内側に位置し、着脱時のみ感光ドラムの引き出し側端部から軸方向に突出させることができる可動ガイドを、感光ドラム着脱用ガイドの感光ドラム引き出し側端部に設けたので、回転ドラム周辺の軸方向実装スペースは、回転ドラムの軸方向寸法に、回転ドラムを挟圧する第１及び第２のフランジが占有する必要最小限の実装スペースを加えたスペースとなり、その結果、軸方向実装スペースを縮小できる電子写真式印刷装置の感光ドラム支持装置を得ることができる。
【発明を実施するための最良の形態】
【００１０】
以下本発明による電子写真式印刷装置の感光ドラム支持装置の一実施の形態を図１〜図３に基づいて説明する。
【００１１】
本発明による電子写真式印刷装置の感光ドラム支持装置の基本構成は、図示しない軸受けによって支承された駆動軸１と、この駆動軸１に固定された第１のフランジ２と、前記駆動軸１に着脱自在に支持された第２のフランジ３と、これら第１のフランジ２と第２のフランジ３との間に跨って支持され前記駆動軸１と同心となる円筒形の感光ドラム４と、前記駆動軸１にねじ込まれて前記第２のフランジ３を締付けることで前記第１のフランジ２と第２のフランジ３との間に挟圧力を発生させるナット等からなる挟圧手段である締結手段５と、前記駆動軸１に支持された第１のフランジ２と一体に形成され前記感光ドラム４の内周面に接近して軸方向に延在するリブ状の感光ドラム着脱用ガイド６とを備えており、さらに、前記感光ドラム４が定位置に設置されたとき、図示しない印刷装置の固定部材に固定されて前記感光ドラム４の引き出し側端部４Ｅを覆うカバー７を有している。また、前記感光ドラム着脱用ガイド６は、感光ドラム４の周方向に沿って等間隔に複数設けられている。
【００１２】
そして、本実施の形態では、前記感光ドラム着脱用ガイド６の感光ドラム引き出し側端部６Ｅが、感光ドラム４の引き出し側端部４Ｅと略同位置か、それよりも軸方向の内側に位置している。さらに、このような感光ドラム着脱用ガイド６の感光ドラム引き出し側端部６Ｅには、可動ガイド８の一端がヒンジ９によって連結されており、感光ドラム４の半径方向に回動可能に連結されている。
【００１３】
この可動ガイド８は、例えば、トグル機構あるいはラッチ機構によって、図１に示すように、感光ドラム４が定位置にあるとき、その半径方向の内径側に折り畳まれた状態で固定されると共に、感光ドラム４の着脱時には、図３の２点鎖線の状態（図１に状態）から矢印で示すようにほぼ９０度回動して前記感光ドラム着脱用ガイド６の延長線上に一致する位置に固定されるように構成されている。そして、前記可動ガイド８が、前記感光ドラム着脱用ガイド６の延長線上に一致する位置に固定されたとき、その端部８Ｅは、感光ドラム４の引き出し側端部４Ｅよりも外側に延在して突出する長さを有している。
【００１４】
以上のように構成したので、感光ドラム４を印刷装置（図示せず）の定位置に装着する際は、図３に示すように、折り畳まれている可動ガイド８を矢印方向に回動させた後、トグル機構あるいはラッチ機構によってその位置を固定し、可動ガイド８の端部８Ｅを感光ドラム４の引き出し側端部４Ｅから軸方向の外側に突出させる。この状態で、突出した可動ガイド８をガイドとして感光ドラム４を装着して駆動軸１を中心として押し込み、その後は、感光ドラム着脱用ガイド６に沿って第１フランジ２に突き当たるまで挿入して行く。
【００１５】
その後、第２のフランジ３を駆動軸１上に装着し、感光ドラム４の引き出し側端部４Ｅを第２のフランジ３の定位置に係合させた状態で、締結手段５を駆動軸１にねじ込んで第２のフランジ３を締付けて行く。この締結手段５の締付けにより、第１のフランジ２と第２のフランジ３との間に挟圧力が生じ、感光ドラム４は定位置に保持されることになる。
【００１６】
そして、感光ドラム４の固定が完了したら、可動ガイド８を図３の矢印方向とは逆に回動させて、図１に示すように、可動ガイド８の先端８Ｅを内径側に折り畳んでトグル機構あるいはラッチ機構によって固定し、感光ドラム４の引き出し側端部４Ｅよりも軸方向内側に位置するように収納する。このようにして感光ドラム４が定位置に収納されたなら、感光ドラム４の引き出し側端部４Ｅを覆うようにカバー７を接近させ、このカバー７を印刷装置の固定部に固定して感光ドラム４の設置を完了させる。
【００１７】
他方、感光ドラム４を印刷装置（図示せず）から取外す際は、上述した感光ドラム４の定位置への装着とは逆の順序で作業を行なえばよい。
【００１８】
以上説明したように、本実施の形態によれば、感光ドラム４の引き出し側端部４Ｅよりも軸方向の内側に感光ドラム引き出し側端部６Ｅが位置する感光ドラム着脱用ガイド６に可動ガイド８を設けることで、定位置にある感光ドラム４の引き出し側端部４Ｅに、従来のように、感光ドラム着脱用ガイド６が突出することがなくなる。その結果、回転ドラム４の引き出し側端部４Ｅにカバー７を接近させて位置させることができるので、感光ドラム周辺の軸方向実装スペースを縮小することができる。さらに、感光ドラム４の引き出し側端部４Ｅに凹凸物がなくなったので、従来のように、突出した感光ドラム着脱用ガイド６に合わせてカバー７を製作する必要はなくなり、カバー７の形状を単純化させることができる。
【００１９】
ところで、図１に示すように、可動ガイド８の先端８Ｅを内径側に折り畳んだ際、可動ガイド８をばね等の弾性体（図示せず）で、第２のフランジ３を押し付けるように構成すれば、感光ドラム４の定位置からのずれによる周辺機器への接触事故を防止することができる。即ち、例えば、感光ドラム４の定位置への保持は、締結手段５の締め付けによる第１フランジ２と第２フランジ３との挟圧力によって行われるが、締結手段５の締め付けが弱かったり、運転中に締結手段５が緩んだりすると、感光ドラム４が第１フランジ２及び第２フランジ３との間の定位置からずれて周辺機器に接触する虞がある。しかし、折り畳んだ可動ガイド８によって第２のフランジ３を第１のフランジ２側に押圧する構成とすることで、締結手段５による第１フランジ２と第２フランジ３との挟圧力に加えて可動ガイド８による押圧力を確保できるので、感光ドラム４の設置位置のずれを防止して、周辺機器への接触を防止することができる。
【００２０】
さらに、前記可動ガイド８の表面を、例えばウレタンゴム等の弾性材で被覆することで、弾力を確保することができると共に、摩擦力を向上させることができる。その結果、前記可動ガイド８を折り畳んで第２のフランジ３を押圧する際に、第２のフランジ３との製作誤差によって微小隙間が生じても、その微小隙間を吸収して押圧力を確保することができる。また、感光ドラム４を図３の状態から引き抜くことで、感光ドラム４の引き出し側端部４Ｅとは反対側端部が水平に張り出した可動ガイド８上に移動してきたとき、その反対側端部が可動ガイド８に被覆した弾性材の摩擦力によって保持されるので、可動ガイド８上から急激に滑落したりするのを防止することができる。
【００２１】
ところで、以上説明の実施の形態は、感光ドラム着脱用ガイド６の端部に可動ガイド８を折り畳み自在に連結したものであるが、感光ドラム着脱用ガイド６をラッチ付きの伸縮スライドレール機構とし、その感光ドラム引き出し側端部に、トグル機構あるいはラッチ機構を介して可動ガイドを連結した構成としてもよい。
【００２２】
この伸縮スライドレール機構を用いた場合、感光ドラムが定位置にあるときは、この伸縮スライドレール機構を縮小させてその感光ドラム引き出し側端部を、感光ドラム４の引き出し側端部４Ｅよりも軸方向内側に位置させると共に、その先端に連結した可動ガイドを内径側に折り畳んで第２のフランジを第１のフランジ側に押圧するか、あるいは可動ガイドを外径側に折り曲げて直接感光ドラム４の引き出し側端部４Ｅを押圧させる。
【００２３】
また、伸縮スライドレール機構を用いて感光ドラム４を着脱する場合には、可動ガイドを回動させて伸縮スライドレール機構の伸縮方向に一致させた状態に保持し、前期実施の形態と同じ手順で作業すればよい。
【００２４】
このように、感光ドラム着脱用ガイドを伸縮スライドレール機構としても、上記実施の形態と同様な効果を奏することができる。
【図面の簡単な説明】
【００２５】
【図１】本発明による電子写真式印刷装置の感光ドラム支持装置の一実施の形態を示す縦断面図。
【図２】図１のＡ−Ａ線に沿う左側面図。
【図３】電子写真式印刷装置の感光ドラム支持装置の可動ガイドの変化を示す図１相当図。
【図４】従来による電子写真式印刷装置の感光ドラム支持装置の一実施の形態を示す縦断面図。
【符号の説明】
【００２６】
１…駆動軸、２…第１のフランジ、３…第２のフランジ、４…感光ドラム、４Ｅ…引き出し側端部、５…締結手段、６…感光ドラム着脱用ガイド、６Ｅ…感光ドラム引き出し側端部、７…カバー、８…可動ガイド、８Ｅ…先端。
【図１】
2008145511.tif 000003
【図２】
2008145511.tif 000004
【図３】
2008145511.tif 000005
【図４】
2008145511.tif 000006